【手続補正書】
【提出日】令和3年11月26日(2021.11.26)
【手続補正１】
【補正対象書類名】特許請求の範囲
【補正対象項目名】全文
【補正方法】変更
【補正の内容】
【特許請求の範囲】
【請求項１】
プライバシー保護音声対話を実行するための装置であって、
−  話者からのクエリーに関する発話音声を表すオーディオ信号を捕捉するように構成されたマイクロホンと、
−  前記捕捉されたオーディオ信号から話者の識別を決定するように構成された話者識別子と、
−  前記識別された話者に対応する曖昧な話者名を生成し、且つ話者名と曖昧な話者名との間の対応関係のリストを格納するように構成されたプライバシーエンフォーサと、
−  通信インターフェースであって、
−  前記捕捉されたオーディオ信号及び前記曖昧な話者名を外部装置に提供することと、
−  前記話者クエリーへの答えを外部装置から受信することと
を行うように構成された通信インターフェースと
を含み、前記プライバシーエンフォーサは、前記受信された答えが前記リストの曖昧な話者名を含むかどうかを決定し、且つこの場合、前記受信された答えにおいて、前記曖昧な話者名を前記対応する名前によって取り替えるように更に構成される、装置。
【請求項２】
前記話者に前記答えを提供することを更に含む、請求項１に記載の装置。
【請求項３】
前記受信された答えは、テキスト形式である、請求項１に記載の装置。
【請求項４】
明瞭な答えをテキスト形式からオーディオ信号に変換するように構成されたテキストトゥスピーチコンバータを更に含む、請求項３に記載の装置。
【請求項５】
前記受信された答えは、オーディオフォーマットである、請求項１に記載の装置。
【請求項６】
前記プライバシーエンフォーサは、前記リストの話者名を検出し、且つ前記話者名を、前記対応する曖昧な話者名を表すオーディオ信号によって取り替えることにより、前記捕捉されたオーディオ信号を曖昧にするように更に構成される、請求項１に記載の装置。
【請求項７】
前記プライバシーエンフォーサは、匿名モードをオン又はオフにするための設定であって、第１の場合、前記プライバシーエンフォーサは、前記話者名を提供する前に前記話者名を曖昧にし、且つ前記受信された答えが曖昧な話者名を含む場合、前記受信された答えを明瞭にし、及び第２の場合、前記プライバシーエンフォーサは、前記話者名をもはや曖昧にせず、且つ前記受信された答えが曖昧な話者名を含むかどうかをもはや決定しない、設定を更に含む、請求項１に記載の装置。
【請求項８】
プライバシー保護音声対話を実行するための方法であって、
−  話者からのクエリーに関する発話音声を表すオーディオ信号を捕捉することと、
−  前記捕捉されたオーディオ信号から話者を識別することと、
−  前記識別された話者に対応する曖昧な話者名を生成し、且つ話者名と曖昧な話者名との間の対応関係のリストを格納することと、
−  前記捕捉されたオーディオ信号及び前記曖昧な話者名を外部装置に提供することと、
−  前記クエリーへの答えを外部装置から取得することと、
−  前記受信された答えが前記リストの曖昧な話者名を含むかどうかを決定し、且つこの場合、前記受信された答えにおいて、前記曖昧な話者名を前記対応する名前によって取り替えることと
を含む方法。
【請求項９】
前記答えを前記話者に提供することを更に含む、請求項８に記載の方法。
【請求項１０】
前記受信された答えは、テキスト形式又はオーディオ形式である、請求項８に記載の方法。
【請求項１１】
前記リストの話者名を検出し、且つ前記話者名を、前記対応する曖昧な話者名を表すオーディオ信号によって取り替えることにより、前記捕捉されたオーディオ信号を曖昧にすることを更に含む、請求項８に記載の方法。
【請求項１２】
匿名モードをオン又はオフにするための設定であって、第１の場合、前記話者名を提供する前に前記話者名を曖昧にし、且つ前記受信された答えが曖昧な話者名を含む場合、前記受信された答えを明瞭にし、及び第２の場合、前記話者名をもはや曖昧にせず、且つ前記受信された答えが曖昧な話者名を含むかどうかをもはや決定しない、設定を更に含む、請求項８に記載の方法。
【請求項１３】
前記リストの前記曖昧な話者名を一新することを更に含む、請求項８に記載の方法。
【請求項１４】
請求項８〜１３のいずれか一項に記載の方法のステップを実行するためにプロセッサによって実行可能なプログラムコード命令を含むコンピュータプログラム。
【請求項１５】
請求項８〜１３のいずれか一項に記載の方法のステップを実行するためにプロセッサによって実行可能なプログラムコード命令を格納する、非一時的コンピュータ可読媒体。
【手続補正２】
【補正対象書類名】明細書
【補正対象項目名】００４０
【補正方法】変更
【補正の内容】
【００４０】
更に、異なる代替実施形態が別々に説明されたが、それらは、任意の形式で一緒に組み合わせることができる。
上記実施形態の一部又は全部は、以下の付記のようにも記載されうるが、以下には限られない。
［付記１］
プライバシー保護音声対話を実行するための装置（１００’）であって、
−  話者からのクエリーに関する発話音声を表すオーディオ信号（１２１）を捕捉するように構成されたマイクロホン（１０２）と、
−  前記捕捉されたオーディオ信号（１２１）から話者の識別を決定するように構成された話者識別子（１０４）と、
−  前記識別された話者に対応する曖昧な話者名（１２２）を生成し、且つ話者名と曖昧な話者名との間の対応関係のリストを格納するように構成されたプライバシーエンフォーサ（１０６）と、
−  通信インターフェース（１２０）であって、
−  前記捕捉されたオーディオ信号（１２１）及び前記曖昧な話者名（１２２）を外部装置に提供することと、
−  前記話者クエリーへの答え（１２４、１２５）を外部装置から受信することと
を行うように構成された通信インターフェース（１２０）と
を含み、前記プライバシーエンフォーサは、前記受信された答えが前記リストの曖昧な話者名を含むかどうかを決定し、且つこの場合、前記受信された答えにおいて、前記曖昧な話者名を前記対応する名前によって取り替えるように更に構成される、装置（１００’）。
［付記２］
前記話者に前記答えを提供することを更に含む、付記１に記載の装置。
［付記３］
前記受信された答え（１２４）は、テキスト形式である、付記１に記載の装置。
［付記４］
明瞭な答え（１２４’）をテキスト形式からオーディオ信号（１２７）に変換するように構成されたテキストトゥスピーチコンバータ（１０８）を更に含む、付記３に記載の装置。
［付記５］
前記受信された答え（１２４）は、オーディオフォーマットである、付記１に記載の装置。
［付記６］
前記プライバシーエンフォーサは、前記リストの話者名を検出し、且つ前記話者名を、前記対応する曖昧な話者名を表すオーディオ信号によって取り替えることにより、前記捕捉されたオーディオ信号（１２１）を曖昧にするように更に構成される、付記１に記載の装置。
［付記７］
前記プライバシーエンフォーサは、匿名モードをオン又はオフにするための設定であって、第１の場合、前記プライバシーエンフォーサは、前記話者名を提供する前に前記話者名を曖昧にし、且つ前記受信された答えが曖昧な話者名を含む場合、前記受信された答えを明瞭にし、及び第２の場合、前記プライバシーエンフォーサは、前記話者名をもはや曖昧にせず、且つ前記受信された答えが曖昧な話者名を含むかどうかをもはや決定しない、設定を更に含む、付記１に記載の装置。
［付記８］
プライバシー保護音声対話を実行するための方法であって、
−  話者からのクエリーに関する発話音声を表すオーディオ信号を捕捉すること（２００）と、
−  前記捕捉されたオーディオ信号から話者を識別すること（２０２）と、
−  前記識別された話者に対応する曖昧な話者名を生成し、且つ話者名と曖昧な話者名との間の対応関係のリストを格納すること（２０４）と、
−  前記捕捉されたオーディオ信号及び前記曖昧な話者名を外部装置に提供することと、
−  前記クエリーへの答えを外部装置から取得することと、
−  前記受信された答えが前記リストの曖昧な話者名を含むかどうかを決定し、且つこの場合、前記受信された答えにおいて、前記曖昧な話者名を前記対応する名前によって取り替えること（２１２）と
を含む方法。
［付記９］
前記答えを前記話者に提供することを更に含む、付記８に記載の方法。
［付記１０］
前記受信された答え（１２４）は、テキスト形式又はオーディオ形式である、付記８に記載の方法。
［付記１１］
前記リストの話者名を検出し、且つ前記話者名を、前記対応する曖昧な話者名を表すオーディオ信号によって取り替えることにより、前記捕捉されたオーディオ信号（１２１）を曖昧にすることを更に含む、付記８に記載の方法。
［付記１２］
匿名モードをオン又はオフにするための設定であって、第１の場合、前記話者名を提供する前に前記話者名を曖昧にし、且つ前記受信された答えが曖昧な話者名を含む場合、前記受信された答えを明瞭にし、及び第２の場合、前記話者名をもはや曖昧にせず、且つ前記受信された答えが曖昧な話者名を含むかどうかをもはや決定しない、設定を更に含む、付記８に記載の方法。
［付記１３］
前記リストの前記曖昧な話者名を一新することを更に含む、付記８に記載の方法。
［付記１４］
付記８〜１３のいずれか一に記載の方法のステップを実行するためにプロセッサによって実行可能なプログラムコード命令を含むコンピュータプログラム。
［付記１５］
非一時的コンピュータ可読媒体上に格納され、且つ付記８〜１３のいずれか一に記載の方法のステップを実行するためにプロセッサによって実行可能なプログラムコード命令を含むコンピュータプログラム製品。